(57)【要約】【課題】  ハンドリング性、スクイズ性および復元性に優れ、より容易にパンク修理剤を押し出すことができるパンク修理剤の保存容器を提供する。【解決手段】  保存容器１０は、タイヤに注入されるパンク修理剤１４を収納可能な有底筒状の容器本体部２０と、容器本体部２０に設けられる口部１１と、を有する。保存容器１０は、容器本体部２０を押圧することで、口部１１を介してパンク修理剤１４を容器本体部２０の内部から外部に押し出すようにした容器であって、容器本体部２０を合成樹脂で扁平状に中空成形し、容器本体部２０の内部に向けて凹曲面状に凹む１対の押圧用凹部２７を、短径方向に対向させて幅広部２６に設けた。押圧用凹部２７は、使用者によって押圧されることで、幅広部２６の全体を内側に大きく撓ませながら、胴部２２を大きく圧縮変形させる。【選択図】  図２
2014046574.tif 000002
【特許請求の範囲】
【請求項１】
パンクしたタイヤに注入されるパンク修理剤を収納可能な有底筒状の容器本体部と、前記容器本体部に設けられる口部と、を有し、前記容器本体部を押圧することで、前記口部を介して前記パンク修理剤を前記容器本体部の内部から外部に押し出すようにしたパンク修理剤の保存容器において、
前記容器本体部は、前記口部の下端に連なる肩部と、前記肩部の下端に連なる胴部と、前記胴部の下端を塞ぐ底部と、から構成されると共に扁平状に中空成形され、
前記胴部は、長径方向に対向する１対の幅狭部と、短径方向に対向する１対の幅広部と、から構成され、
前記１対の幅広部のそれぞれには、前記胴部の内部に向けて凹曲面状に凹む押圧用凹部が設けられることを特徴とするパンク修理剤の保存容器。
【請求項２】
前記幅広部の中央部の肉厚は、前記幅広部の長径方向両端部の肉厚よりも大きく設定されることを特徴とする請求項１に記載のパンク修理剤の保存容器。
【請求項３】
前記幅広部の中央部の肉厚は、前記幅広部の長径方向両端部の肉厚の１．２〜１．６倍の大きさに設定されることを特徴とする請求項２に記載のパンク修理剤の保存容器。
【請求項４】
前記幅広部の中央部の肉厚は、前記幅広部の高さ方向両端部の肉厚よりも大きく設定されることを特徴とする請求項１〜３のいずれかに記載のパンク修理剤の保存容器。
【請求項５】
前記幅広部の中央部の肉厚は、前記幅広部の高さ方向両端部の肉厚の１．２〜１．６倍の大きさに設定されることを特徴とする請求項４に記載のパンク修理剤の保存容器。
【請求項６】
前記容器本体部は、内層、中間層および外層を含む少なくとも３層の多層構造で構成され、
前記中間層は、ガスバリア性樹脂で構成されることを特徴とする請求項１〜５のいずれかに記載のパンク修理剤の保存容器。
【請求項７】
前記ガスバリア性樹脂は、エチレン・ビニルアルコール樹脂であることを特徴とする請求項６に記載のパンク修理剤の保存容器。
【請求項８】
前記口部を密封するための蓋材と、
パンクしたタイヤを修理する際に前記口部に装着され、前記パンク修理剤を前記容器本体部から導出して前記タイヤに供給するための導出手段と、を有し、
前記導出手段は、前記口部に嵌合可能な嵌合部と、前記嵌合部に設けられ前記口部に挿入可能な導出管と、を有し、
前記蓋材は、前記口部の天面に溶着されるアルミ箔またはアルミ蒸着フィルムからなるシール材であって、前記導出手段が前記口部に装着されたとき、前記口部に挿入される前記導出管によって破られることを特徴とする請求項１〜７のいずれかに記載のパンク修理剤の保存容器。
【発明の詳細な説明】
【技術分野】
【０００１】
本発明は、パンク修理剤の保存容器に関し、特に、容器を押圧することでパンク修理剤を容器から押し出すようにしたパンク修理剤の保存容器に関する。
【背景技術】
【０００２】
近年、タイヤがパンクした際、パンク修理剤をタイヤに注入してパンク穴を応急的に塞いだ後、規定の空気圧までタイヤを昇圧させるパンク修理キットが広く普及している。このパンク修理キットでは、タイヤを交換することなく、パンクしたタイヤを修理することができる。従来、このようなパンク修理キットに関し、各種の技術が提案されている（たとえば、特許文献１参照）。
【０００３】
特許文献１に記載されるタイヤのシーリング・ポンプアップ装置は、弾性変形可能な液剤ボトルを備える。この液剤ボトルには、シーリング剤（パンク修理剤）が収納される。パンクしたタイヤを修理する際は、液剤ボトルを押圧して圧縮することにより、シーリング剤を液剤ボトルから押し出し、供給管を介してタイヤに注入する。
【０００４】
図１２は、特許文献１の液剤ボトルの基本構成を示す図である。図１２（ａ）および（ｂ）に示すように、液剤ボトル１００では、胴部１０１の横断面が楕円形状に形成されており、これにより、シーリング剤１０２を押し出すのに必要な押圧力の低減が図られている。すなわち、使用者は、胴部１０１の広い面である大径湾曲部１０３を押圧できるので、胴部の横断面を円形状とした場合と比較して、胴部１０１を容易に変形させることができる。
【０００５】
また、特許文献２には、収納容器の側壁面に環状の拡縮部を形成し、かつ、この拡縮部に囲まれた領域に平坦面を形成したパンク用シーリング剤の収納容器が開示されている。この収納容器では、拡縮部の弾性変形によって平坦部を外側に膨張または内側に収縮させることにより、パンク用シーリング剤が経時変化して内圧が増減しても、内圧の変化を緩和できるようにしている。さらに、この特許文献２には、平坦面の肉厚を拡縮部の肉厚の１２０〜１５０％とすることで、平坦面の剛性を高める技術が記載されている。
【０００６】
また、特許文献３には、圧縮変形可能な蛇腹構造の容積縮小部を容器本体に設けたシーリング剤の保管・注入容器が開示されている。この注入容器では、蛇腹構造の容積縮小部によってシーリング剤の注入の作業性を高め、これにより、低温環境下であっても、注入の作業性が低下することを抑制している。
【０００７】
また、特許文献４には、少なくとも２種類の熱可塑性樹脂からなり、かつ、内層、中層、及び外層を含む３層の積層体によって、容器本体の胴部を構成したパンクシーリング剤の収容容器が開示されている。この収容容器では、中層をガスバリア性樹脂とすることで、容器のガスバリア性を高めるようにしている。
【０００８】
ところで、パンク修理の作業性向上の観点から、より簡単にパンク修理剤をタイヤに注入できる技術が求められ、その対策として、より容易にパンク修理剤を押し出すことができる保存容器が求められている。容器の押し出し性能を一層高めるためには、より優れたハンドリング性やスクイズ性、復元性が求められる。
【先行技術文献】
【特許文献】
【０００９】
【特許文献１】特開２００６−６２７１５号公報
【特許文献２】特開２００９−２４８９８２号公報
【特許文献３】特開２００５−１７０４８６号公報
【特許文献４】特許第３８７５５２３号公報
【発明の概要】
【発明が解決しようとする課題】
【００１０】
しかしながら、上記特許文献１の液剤ボトル１００は、胴部１０１を単に楕円形状に形成した構成であり、ハンドリング性やスクイズ性、復元性のいずれにおいても、性能の更なる向上には限界がある。
【００１１】
また、上記特許文献２に開示される収納容器では、平坦面の肉厚を拡縮部の肉厚の１２０〜１５０％として平坦面の剛性を高め、収納容器の押し出し性能の向上を図っているが、拡縮部および平坦面胴部を必須の構成要素とするため、胴部形状が複雑である。このため、成形金型が複雑化するなどの問題点がある。したがって、成形金型を複雑化させない簡素な胴部形状が求められる。
【００１２】
上記特許文献３に開示されるシーリング剤の保管・注入容器では、蛇腹構造の容積縮小部によって容器が押し潰し易くなるが、蛇腹構造であるため、変形した容器が戻りにくい。このため、容器の復元性が悪く、シーリング剤の押し出しに時間を要するという問題点がある。
【００１３】
なお、上記特許文献４は、主に容器のガスバリア性を高める技術の記載に留まり、押し出し性能の更なる向上を実現できる技術が記載されるものではない。
【００１４】
そこで、本発明は、このような事情に鑑みてなされたものであり、その目的は、ハンドリング性、スクイズ性および復元性に優れ、しかも簡素な胴部形状で、より容易にパンク修理剤を押し出すことができるパンク修理剤の保存容器を提供することにある。
【課題を解決するための手段】
【００１５】
本発明のパンク修理剤の保存容器は、パンクしたタイヤに注入されるパンク修理剤を収納可能な有底筒状の容器本体部と、前記容器本体部に設けられる口部と、を有し、前記容器本体部を押圧することで、前記口部を介して前記パンク修理剤を前記容器本体部の内部から外部に押し出すようにしたパンク修理剤の保存容器において、前記容器本体部は、前記口部の下端に連なる肩部と、前記肩部の下端に連なる胴部と、前記胴部の下端を塞ぐ底部と、から構成されると共に扁平状に中空成形され、前記胴部は、長径方向に対向する１対の幅狭部と、短径方向に対向する１対の幅広部と、から構成され、前記１対の幅広部のそれぞれには、前記胴部の内部に向けて凹曲面状に凹む押圧用凹部が設けられることを特徴とする。
【００１６】
上記発明のパンク修理剤の保存容器では、前記幅広部の中央部の肉厚は、前記幅広部の長径方向両端部の肉厚よりも大きく設定されることを特徴とする。
【００１７】
上記発明のパンク修理剤の保存容器では、前記幅広部の中央部の肉厚は、前記幅広部の長径方向両端部の肉厚の１．２〜１．６倍の大きさに設定されることを特徴とする。
【００１８】
上記発明のパンク修理剤の保存容器では、前記幅広部の中央部の肉厚は、前記幅広部の高さ方向両端部の肉厚よりも大きく設定されることを特徴とする。
【００１９】
上記発明のパンク修理剤の保存容器では、前記幅広部の中央部の肉厚は、前記幅広部の高さ方向両端部の肉厚の１．２〜１．６倍の大きさに設定されることを特徴とする。
【００２０】
上記発明のパンク修理剤の保存容器では、前記容器本体部は、内層、中間層および外層を含む少なくとも３層の多層構造で構成され、前記中間層は、ガスバリア性樹脂で構成されることを特徴とする。
【００２１】
上記発明のパンク修理剤の保存容器では、前記ガスバリア性樹脂は、エチレン・ビニルアルコール樹脂であることを特徴とする。
【００２２】
上記発明のパンク修理剤の保存容器は、前記口部を密封するための蓋材と、パンクしたタイヤを修理する際に前記口部に装着され、前記パンク修理剤を前記容器本体部から導出して前記タイヤに供給するための導出手段と、を有し、前記導出手段は、前記口部に嵌合可能な嵌合部と、前記嵌合部に設けられ前記口部に挿入可能な導出管と、を有し、前記蓋材は、前記口部の天面に溶着されるアルミ箔またはアルミ蒸着フィルムからなるシール材であって、前記導出手段が前記口部に装着されたとき、前記口部に挿入される前記導出管によって破られることを特徴とする。
【発明の効果】
【００２３】
本発明によれば、使用者は、押圧用凹部によって容器本体部をしっかりと掴むことができると共に、押圧用凹部を押圧することで容器本体部を大きく弾性変形させることができる。したがって、ハンドリング性、スクイズ性および復元性に優れ、しかも、押圧用凹部を形成するだけの簡素な胴部形状で、より容易にパンク修理剤を押し出すことができるパンク修理剤の保存容器が提供される。
【図面の簡単な説明】
【００２４】
【図１】実施形態にかかるパンク修理剤の保存容器の正面図である。
【図２】図１のＡ−Ａ線断面図であり、保存容器の分解図である。
【図３】図１のＢ−Ｂ線断面図である。
【図４】胴部の肉厚の測定箇所を説明する図であり、（ａ）は高さ方向の測定位置を説明する図、（ｂ）は（ａ）の底面図であって周方向における測定方向を説明する図である。
【図５】胴部の周方向の肉厚分布の例を示すグラフである。
【図６】胴部の高さ方向の肉厚分布の例を示すグラフである。
【図７】多層構造の容器本体部の壁を拡大して示す断面図である。
【図８】シール材の作用を説明する図であり、（ａ）は導出手段を装着する前の口部の側面図、（ｂ）は導出手段を装着した後の口部の断面図である。
【図９】容器本体部の作用を説明する図であり、（ａ）は容器本体部のハンドリング性を説明する図、（ｂ）は容器本体部のスクイズ性を説明する図、（ｃ）は容器本体部の復元性を説明する図である。
【図１０】コンプレッサによりタイヤを昇圧する作業を説明する図である。
【図１１】比較例の液剤ボトルの作用を説明する図であり、（ａ）は液剤ボトルのスクイズ性を説明する図、（ｂ）は液剤ボトルの復元性を説明する図である。
【図１２】従来の液剤ボトルの基本構成を説明する図であり、（ａ）は正面図、（ｂ）は（ａ）のＣ−Ｃ線断面図である。
【発明を実施するための形態】
【００２５】
以下、添付図面を参照して、本発明を実施するための形態（以下、実施形態）について詳細に説明する。なお、実施形態の説明の全体を通して同じ要素には同じ番号を付している。
【００２６】
図１に示すように、実施形態にかかるパンク修理剤の保存容器１０（以下、「保存容器１０」という）は、自立可能な有底筒状の容器本体部２０と、容器本体部２０の上端に設けられる口部１１と、口部１１を密封するためのシール材（蓋材）１２と、口部１１に被着される保護キャップ１３と、を有する。容器本体部２０と口部１１は、合成樹脂で一体に成形されるものであり、たとえば、射出成形で成形したプリフォームを加熱・軟化させて膨らませるインジェクション・ブロー成形や、溶融状態の筒状のパリソンを膨らませるダイレクトブロー成形などにより製造される。
【００２７】
図２に示すように、口部１１は、ほぼ円筒形状に形成されており、口部１１の外周面には、雄ねじ部１１ａが設けられる。シール材１２は、ほぼ円形状に形成され、アルミ箔またはアルミ蒸着フィルムからなり、高いガスバリア性を備える。シール材１２は、口部１１の天面に溶着され、口部１１を密封する。シール材１２の溶着には、口部１１の天面以外の部分に熱の影響を与えず、しかもシール材１２を短時間で溶着できる高周波溶着法を用いることが望ましい。高周波溶着法を用いる場合、口部１１の天面にシール材１２を加圧状態で押し付ける共に、口部１１とシール材１２とのシール面を高周波で内部発熱させて溶着する。
【００２８】
保護キャップ１３は、射出成形等により合成樹脂で成形され、内周面に雌ねじ部１３ａを有する。この雌ねじ部１３ａは、口部１１の雄ねじ部１１ａにねじ込まれる。保護キャップ１３は、保存容器１０が車両の荷室等に保管されるときは、シール材１２の上から口部１１に装着され、シール材１２および口部１１を保護する。一方、パンクしたタイヤを修理するときは、保護キャップ１３は口部１１から取り外され、口部１１には、パンク修理剤１４を容器本体部２０から導出するための導出手段（後述）が装着される。
【００２９】
容器本体部２０には、タイヤの種類に応じて定められた量（たとえば、４５０ｃｍ３程度）のパンク修理剤１４が充填・保存される。パンク修理剤１４は、任意のシーリング剤であり、たとえば、ゴムラテックスを主成分とした、粘度が４０ｃｐｓ（２０℃）前後の粘性の高い液状体である。
【００３０】
容器本体部２０は、肩部２１、胴部２２および底部２３からなる。肩部２１は、口部１１の下端に連なり、下方に向けて拡径するように形成される。保存容器１０の軸直角方向（正立した保存容器１０の水平方向）に対する肩部２１の傾斜角θは、容器本体部２０に求められる座屈強度や、容器本体部２０の成形性等を考慮して、任意に設定される。
【００３１】
胴部２２は、肩部２１の下端に連なる共に、図３に示すように、扁平状に形成される。ここでは、胴部２２のＢ−Ｂ横断面は、４つの角に丸みを設けたほぼ長方形状に形成される。これにより、胴部２２は、長径方向に対向する１対の幅狭部２５と、短径方向に対向する１対の幅広部２６と、によって構成される。具体的には、幅狭部２５、幅広部２６およびその境界部がそれぞれ異なる曲率を有する曲線により構成される。胴部２２における長径Ｄ１と短径Ｄ２の寸法比（Ｄ２／Ｄ１）は、胴部２２の把持性、胴部２２の延伸倍率の大きさ等に応じて、任意に設定される。
【００３２】
図２に戻る。図２に示すように、胴部２２のＡ−Ａ縦断面は基本長方形状であり、１対の幅広部２６のそれぞれには、押圧用凹部２７が設けられる。この押圧用凹部２７は、容器側面視で凹曲面状に形成され、幅広部２６の中央付近で最も深く凹むように形成される。押圧用凹部２７の上端位置Ｐ１は、肩部２１の下端近傍に達しており、押圧用凹部２７の下端位置Ｐ２は、底部２３の上端近傍に達する。このように、押圧用凹部２７は、幅広部２６のほぼ全面に亘って広く形成される。さらに、肩部２１および底部２３の押圧用凹部２７近傍は面取りされた曲面形状を有している。押圧用凹部２７は、使用者によって押圧されることで、幅広部２６の全体を内側に大きく撓ませながら、胴部２２を大きく圧縮変形させる作用をなす。
【００３３】
なお、押圧用凹部２７の曲率半径Ｒは、容器本体部２０に求められる押し出し性能や、容器本体部２０の成形性等に応じて、任意の大きさに設定される。また、押圧用凹部２７は、１つの曲率半径Ｒからなる曲面の他、複数の曲率半径を組合せた曲面によって構成されてもよい。また、この例では、胴部２２の横断面をほぼ長方形状としたが、本発明にかかる押圧用凹部は、たとえば、胴部の横断面をほぼ楕円形状にすることで胴部を扁平状に形成し、対向する大径側の湾曲部に設けてもよい。
【００３４】
ここで、容器本体部２０における肉厚分布について述べる。
胴部２２のスクイズ性および復元性をより高めるには、幅広部２６の中央部の肉厚ｔ１（図３参照）を幅広部２６の長径方向両端部の肉厚ｔ２（図３参照）よりも大きく設定し、かつ、中央部の肉厚ｔ１（図２参照）を幅広部２６の高さ方向両端部の肉厚ｔ３（図２参照）よりも大きく設定することが望ましい。
【００３５】
本発明者等は、より好適な肉厚分布を求めるため、種々の研究開発を進めた。結果、容器本体部２０の成形性や品質を含めて総合的に判断すると、高いスクイズ性および復元性を得るには、中央部の肉厚ｔ１を長径方向両端部の肉厚ｔ２の１．２〜１．６倍の大きさに設定し、かつ、中央部の肉厚ｔ１を高さ方向両端部の肉厚ｔ３の１．２〜１．６倍の大きさに設定することが好適であることを見出した。なお、肉厚分布の設定による作用は後述する。
【００３６】
以下、好適な肉厚分布の一例を容器本体部２０（ブロー成形品）の測定結果に基づいて、詳細に説明する。ブロー成形品の仕様を例示すると、質量は３１．８７ｇ、満注容量は約４８３．６ｃｍ３である。
【００３７】
容器本体部２０における肉厚の測定箇所を図４に基づいて説明する。
図４（ａ）に示すように、高さ方向の肉厚分布を測定する位置は、底部２３の底面より１０ｍｍの高さから肩部２１までの範囲において、１０ｍｍ間隔で合計１２箇所（測定位置Ａ１〜Ａ１２）設定した。また、図４（ｂ）に示すように、周方向の肉厚を測定する向きは、成形金型の分割位置であるパーティングラインＰＬの一側（方向Ｂ１）から時計回りに３６０°の範囲において、３０°の角度ピッチで合計１２方向（測定方向Ｂ１〜Ｂ１２）設定した。なお、肉厚の測定には、デジタルマイクロメータを用いた。また、周方向の肉厚分布は、底面より６０ｍｍの高さ（測定位置Ａ６）にて測定した。
【００３８】
周方向の肉厚分布の測定結果を表１に示し、表１の測定結果をグラフ化したものを図５に示す。図５中、横軸は測定方向（Ｂ１〜Ｂ１２）であり、縦軸は肉厚（ｍｍ）である。
【００３９】
【表１】
2014046574.tif 000003
【００４０】
表１および図５に示すように、幅広部２６の中央部付近（測定方向Ｂ４，Ｂ１０）では、肉厚が１．０〜１．１ｍｍ程度であり、長径方向両端部（測定方向Ｂ２，Ｂ６，Ｂ８，Ｂ１２）の肉厚が０．７〜０．８ｍｍ程度である。このように、周方向の肉厚分布では、中央部の肉厚ｔ１（図３参照）が長径方向両端部の肉厚ｔ２（図３参照）よりも大きく、かつ、好適な大きさ（長径方向両端部ｔ２の肉厚の１．２〜１．６倍の範囲）であることが分かる。
【００４１】
次に、高さ方向の肉厚分布の測定結果を表２に示し、表２の測定結果をグラフ化したものを図６に示す。図６中、横軸は肉厚（ｍｍ）であり、縦軸は測定位置（Ａ１〜Ａ１２）である。
【００４２】
【表２】
2014046574.tif 000004
【００４３】
表２および図６に示すように幅広部２６の中央部付近（測定方向Ｂ４，Ｂ１０における測定位置Ａ６〜Ａ８）では、肉厚が１ｍｍ前後であり、高さ方向両端部（測定方向Ａ２，Ａ１１）では、肉厚が０．８ｍｍ前後である。このように、高さ方向の肉厚分布では、中央部の肉厚ｔ１（図３参照）が高さ方向両端部の肉厚ｔ３（図２参照）よりも大きく、かつ、好適な大きさ（高さ方向両端部の肉厚ｔ３の１．２〜１．６倍の範囲）であることが分かる。
【００４４】
続いて、容器本体部２０の材質および層構成について述べる。
容器本体部２０は、任意の合成樹脂材料で構成される。ただし、パンク修理剤１４を長期に（たとえば、５年間）保存する場合、酸素によるパンク修理剤１４の劣化や変質、腐食を防ぐため、あるいは、パンク修理剤１４中の水蒸気やアンモニア等の減少を抑制するため、高い保存性能を容器本体部２０に付与する必要がある。高い保存性能を容器本体部２０に付与するには、ガスバリア性の高い材料を含む多層構造で容器本体部２０を構成し、容器本体部２０の気体透過性を低く抑えることが有効である。
【００４５】
たとえば、内層、中間層および外層を含む少なくとも３層の多層構造で容器本体部２０を構成し、中間層をガスバリア性樹脂で構成する。このガスバリア性樹脂には、薄くても、高いガスバリア性が得られるエチレン・ビニルアルコール樹脂（ＥＶＯＨ）が好適である。また、中間層を挟む内層および外層の材質は、ポリエチレンやポリプロピレン、ポリエステルなど、任意の合成樹脂から選択可能である。このような多層構造の容器本体部２０は、たとえば、多層パリソンを用いたブロー成形によって得ることができる。
【００４６】
容器本体部２０の多層構造の一例を図７に基づいて説明する。
図７に示すように、この多層構造は、６つの層で構成され４種類の材料からなる４種６層の積層体である。ここでは、内側（パンク修理剤１４側）から、低密度ポリエチレンからなる第１層２０ａ、接着層である第２層２０ｂ、ＥＶＯＨからなる第３層２０ｃ、接着層である第４層２０ｄ、リサイクル材からなる第５層２０ｅ、および、低密度ポリエチレンからなる第６層２０ｆが順次積層される。なお、第５層２０ｅのリサイクル材には、成形品から切除された不要部分（いわゆるバリ）を用いることができる。
【００４７】
このような多層構造の各層の厚みと構成比率の例を表３に示す。なお、表中、括弧内は各層の構成比率を示す。
【００４８】
【表３】
2014046574.tif 000005
【００４９】
表３に示すように、低密度ポリエチレンからなる第１・第６層およびリサイクル材からなる第５層を厚く形成することで、容器本体部２０（図２参照）の成形性や剛性を確保する。一方、第３層は、薄くてもガスバリア性に優れるＥＶＯＨを使用することで、薄く形成する。これにより、高いガスバリア性を容器本体部２０に付与してパンク修理剤１４の劣化や変質、腐食を防止すると共にパンク修理剤１４中の水蒸気やアンモニア等の減少を抑制し、しかも、第３層を薄く形成することで、容器本体部２０の質量および材料コストを低く抑えることができる。また、第５層にリサイクル材を使用することで、環境負荷低減を図ると共に更なるコスト低減を図ることもできる。
【００５０】
なお、実施形態では、ガスバリア性樹脂を含む多層構造によって、容器本体部２０の気体透過性を低く抑えたが、この他、容器本体部２０の表面（たとえば、内面）に、アルミニウムやアルミニウム合金、アルミナ、シリカ等からなる薄膜層を蒸着し、この蒸着膜によって、容器本体部２０のガスバリア性を高めることも有効である。
【００５１】
以上に述べた保存容器１０を用いて、パンクしたタイヤを修理する方法を図８〜図１０に基づいて説明する。図８（ａ）に示すように、パンクの修理に際しては、導出手段３２を用いる。導出手段３２は、口部１１に嵌合可能な嵌合部３３と、嵌合部３３の中央を貫通する導出管３５と、を有する。嵌合部３３は、口部１１の雄ねじ部１１ａにねじ込まれる雌ねじ部３３ａを有する。導出管３５の下流側の端部には、注入ホース３６が接続される。
【００５２】
まず、使用者は、保護キャップ１３を口部１１から外し、代わりに嵌合部３３を口部１１にねじ込んで、導出手段３２を容器本体部２０に装着する。このとき、シール材１２は、図８（ｂ）に示すように、口部１１に挿入される導出管３５の先端によって破られる。これにより、容器本体部２０の内部と外部とは、導出管３５によって連通する。また、口部１１の天面は、嵌合部３３によってシールされるため、パンク修理剤が口部１１付近で漏れる心配はない。
【００５３】
次に、図９（ａ）に示すように、パンクしたタイヤ３１のバルブ３１ａに、注入ホース３６の下流側の端部を接続した後、容器本体部２０を倒立させて、１対の押圧用凹部２７を把持する。そして、図９（ｂ）に示すように、容器本体部２０を圧縮するように、１対の押圧用凹部２７を押圧する。すると、図９（ｃ）に示すように、１対の幅広部２６が互いに近づくように大きく弾性変形し、容器本体部２０が圧縮される。これにより、圧縮される容器本体部２０の容積変化に応じた量のパンク修理剤１４が導出管３５から押し出される。押し出されたパンク修理剤１４は、注入ホース３６を介してタイヤ３１に注入される。
【００５４】
使用者が手を緩めると、大きく弾性変形した１対の幅広部２６は、押圧力から解放されて元の形態に速やかに復元する。このように内容積の減少量が大きく、しかも速やかに復元する容器本体部２０のポンピング操作を複数回行うことで、ほぼ全てのパンク修理剤１４をタイヤ３１に短時間で注入することができる。
【００５５】
次に、図１０に示すように、耐圧ホース３７を介して、タイヤ３１のバルブ３１ａにコンプレッサ３８を接続し、コンプレッサ３８の電源プラグ４１を車両の電源ソケットに差し込む。そして、コンプレッサ３８を作動させ、タイヤ３１を昇圧する。タイヤ３１を規定の空気圧まで昇圧した後、耐圧ホース３７およびコンプレッサ３８をタイヤ３１から外し、車両を予備走行する。予備走行を終えたら、タイヤ３１の空気圧を測定し、必要に応じて、再度コンプレッサ３８でタイヤ３１を規定の空気圧まで昇圧する。これで、タイヤ３１のパンク修理が完了となる。
【００５６】
以上、説明した実施形態の保存容器１０の効果について述べる。
本実施形態では、容器本体部２０の胴部２２を扁平状に成形し、１対の幅広部２６に１対の押圧用凹部２７を設け、この押圧用凹部２７を使用者が把持・押圧できるようにした。
【００５７】
これに対して、図１１（ａ）に示すように、従来の液剤ボトル１００では、胴部１０１が楕円形状に形成され、使用者は、大径湾曲部１０３を押圧する。この場合、大径湾曲部１０３が単純な凸曲面であるため、ハンドリング性が悪い。また、大径湾曲部１０３が凸状に湾曲していることから、図１１（ｂ）に示すように、使用者の押圧力が大径湾曲部１０３に局所的に作用してしまい、液剤ボトル１００の内容積の減少量が小さい。すなわち、スクイズ性が悪く、全てのシーリング剤１０２を押し出すには、液剤ボトル１００を何度もポンピングしなくてはならない。また、使用者の押圧力が局所的に作用するため、大径湾曲部１０３が陥没するように変形してしまい、復元性も悪い。
【００５８】
この点、本実施形態では、図９（ａ）および（ｂ）に示すように、凹曲面状の押圧用凹部２７を把持・押圧できるようにしたので、使用者の手が押圧用凹部２７に良好に嵌り、ハンドリング性が格段に良くなる。また、押圧用凹部２７を凹曲面状とし、かつ、幅広部２６のほぼ全面に亘って広く形成したので、押圧力が幅広部２６の全体に作用する。これにより、図９（ｃ）に示すように、幅広部２６の全体が大きく弾性変形するので、容器本体部２０の内容積の減少量が大きい。結果、優れたスクイズ性を得ることができる。また、幅広部２６の全体が大きく弾性変形するため、幅広部２６が元の形態に戻り易く、復元性にも優れる。
【００５９】
加えて、幅広部２６では、中央部の肉厚ｔ１（図３参照）を長径方向両端部の肉厚ｔ２（図３参照）よりも大きく設定し、かつ、中央部の肉厚ｔ１（図３参照）を高さ方向両端部の肉厚ｔ３（図２参照）よりも大きく設定した。これにより、押圧用凹部２７の中央部が厚くなり、押圧用凹部２７の周囲の角部が薄くなる。押圧用凹部２７の中央部が厚くなることで、押圧用凹部２７の中央部の剛性が高まるため、使用者が押圧用凹部２７を押圧し易くなる。一方、押圧用凹部２７の周囲の角部では、剛性が低下するため、変形し易くかつ復元し易くなる。結果、胴部２２のスクイズ性および復元性を格段に高めることができる。
【００６０】
したがって、本実施形態によれば、ハンドリング性、スクイズ性および復元性に優れ、しかも、押圧凹部２４を形成するだけの簡素な胴部形状で、より容易にパンク修理剤１４を押し出すことができる保存容器１０が提供される。
【００６１】
さらに、本実施形態では、アルミ箔またはアルミ蒸着フィルムからなるシール材１２を口部１１の天面に溶着し、このシール材１２が導出管３５によって破られるようにした。
【００６２】
これに対し、従来、合成樹脂製の中栓を口部に嵌入し、パンクの修正に際しては、この中栓の底部を導出管で破断するようにした蓋構造が知られている。このような蓋構造の場合、蓋材（中栓）の部品コストが高いことに加え、中栓の硬い底部を破断する必要があるため、作業性も悪い。
【００６３】
この点、本実施形態では、シール材１２で口部１１を塞ぐようにしたので、蓋材の部品コストが安くなる。また、薄いシール材１２を導出管３５で容易に破ることができるので、作業性も良い。
【００６４】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００６５】
１０    保存容器
１１    口部
１２    シール材
１４    パンク修理剤
２０    容器本体部
２０ａ  第１層（内層）
２０ｃ  第３層（中間層）
２０ｅ  第５層（外層）
２０ｆ  第６層（外層）
２１    肩部
２２    胴部
２３    底部
２５    幅狭部
２６    幅広部
２７    押圧用凹部
３１    タイヤ
３２    導出手段
３３    嵌合部
３５    導出管
Ｄ１    長径
Ｄ２    短径
ｔ１    中央部の肉厚
ｔ２    長径方向両端部の肉厚
ｔ３    高さ方向両端部の肉厚
【図１】
2014046574.tif 000006
【図２】
2014046574.tif 000007
【図３】
2014046574.tif 000008
【図４】
2014046574.tif 000009
【図５】
2014046574.tif 000010
【図６】
2014046574.tif 000011
【図７】
2014046574.tif 000012
【図８】
2014046574.tif 000013
【図９】
2014046574.tif 000014
【図１０】
2014046574.tif 000015
【図１１】
2014046574.tif 000016
【図１２】
2014046574.tif 000017